(57)【要約】【課題】圃場面に種作物を落下させる植え付け装置において簡単な機具の追加で適正な株間での千鳥植えを可能にする。【解決手段】一方向に進行しながら圃場面に種作物を点播する種作物植え付け装置１であって、粒単位で繰り出される種作物を圃場面に間隔を空けて落下させる落下導管部１０を備え、落下導管部１０は、一つの投入口１１と、投入口１１から進行方向左右に分かれた２つの落下口１２，１３と、投入口１１に投入された種作物を２つの落下口１２，１３の一方に向けて案内する案内板１４を備え、案内板１４は、投入された種作物の自重で回転して、種作物の粒単位で交互に案内方向を切り換える。【選択図】図２
2015181442.tif 000002
【特許請求の範囲】
【請求項１】
一方向に進行しながら圃場面に種作物を点播する種作物植え付け装置であって、
粒単位で繰り出される種作物を圃場面に間隔を空けて落下させる落下導管部を備え、
前記落下導管部は、一つの投入口と、該投入口から進行方向左右に分かれた２つの落下口と、前記投入口に投入された種作物を前記２つの落下口の一方に向けて案内する案内板を備え、
前記案内板は、投入された種作物の自重で回転して、種作物の粒単位で交互に案内方向を切り換えることを特徴とする種作物植え付け装置。
【請求項２】
前記案内板は、第１案内板と左右一対の第２案内板とを一体に備えて進行方向に沿った軸周りに回転自在に軸支されており、
前記第１案内板は、前記投入口の開口範囲で揺動自在であって、一方の前記落下口を塞いで投入された種作物を他方の前記落下口に案内する傾斜姿勢で保持され、
前記第２案内板は、前記第１案内板によって案内された種作物の自重で回転して他方の前記落下口を開放すると共に前記第１案内板の傾斜姿勢を他方の前記落下口を塞ぐ傾斜姿勢に切り換えることを特徴とする請求項１記載の種作物植え付け装置。
【請求項３】
種作物を貯留するホッパーと、
前記ホッパーから粒単位で種作物を繰り出して前記落下導管部に投入する繰り出し機構部と、
前記落下導管部における２つの落下口の各前方にて圃場面に溝を形成する溝切り器を備えることを特徴とする請求項１又は２記載の種作物植え付け装置。
【請求項４】
一つの投入口と、該投入口から進行方向左右に分かれた２つの落下口と、前記投入口に投入された投入物を前記２つの落下口の一方に向けて案内する案内板を備え、
前記案内板は、第１案内板と左右一対の第２案内板とを一体に備えて進行方向に沿った軸周りに回転自在に軸支されており、
前記第１案内板は、前記投入口の開口範囲で揺動自在であって、一方の前記落下口を塞いで投入された投入物を他方の前記落下口に案内する傾斜姿勢で保持され、
前記第２案内板は、前記第１案内板によって案内された投入物の自重で回転して他方の前記落下口を開放すると共に前記第１案内板の傾斜姿勢を他方の前記落下口を塞ぐ傾斜姿勢に切り換えることを特徴とする千鳥点播機具。
【発明の詳細な説明】
【技術分野】
【０００１】
本発明は、種イモなどの種作物を圃場に植え付ける種作物植え付け装置、これに用いることができる千鳥点播機具に関するものである。
【背景技術】
【０００２】
種イモの植え付け装置は、従来ポテトプランターとして一般に知られている。ポテトプランターは、圃場を走行しながら圃場面に種イモを点播して植え付けるものであり、種イモを貯留したホッパーと、ホッパー内の種イモを一粒又は数粒毎送り出す繰り出し機構と、繰り出し機構で送り出された種イモを圃場面に落下させる落下導管などを備え、作溝、種イモ点播、鎮圧・覆土などを一行程で行い、圃場面に所定の株間で直線的に種イモを植え付けるものである（下記特許文献１など参照）。
【先行技術文献】
【特許文献】
【０００３】
【特許文献１】実開昭６２−１３１１７号公報
【発明の概要】
【発明が解決しようとする課題】
【０００４】
前述したポテトプランターは、多条植えのものでは、進行方向と交差する方向に配置される落下導管の間隔によって植え付け条間が決まり、作業速度と繰り出し機構の繰り出しタイミングで一条内における植え付け株間が決まることになる。しかし、直線的に種イモを植え付けるこのプランターでは株間の競合が早期に起こり、収穫作物の粒ぞろいが均一にならず収穫物としての歩留まりが低下しやすい、収量が頭打ちしやすいといった問題があった。
【０００５】
一般に、集約的な植え付けとして千鳥植えが知られており、千鳥植えを行うと作物間の競合が軽減されて収穫物としての歩留まりが向上する、増収しやすい、などの利点が得られる。しかしながら、繰り出し機構から繰り出される種イモを落下導管に供給して圃場に落下させる従来のポテトプランターでは、単純な機構であるが故に左右の落下導管で落下タイミングを調整することなどはできず、適正な株間で千鳥植えを行うことができない問題があった。
【０００６】
本発明は、このような問題に対処することを課題の一例とするものである。圃場面に種作物を落下させる植え付け装置において簡単な機具の追加で千鳥植えを可能にすること、動力を使わずに適正な株間で千鳥点播を可能にすること、などが本発明の目的である。
【課題を解決するための手段】
【０００７】
このような目的を達成するために、本発明による種作物植え付け装置は、明細書に記載された幾つかの発明のうち以下の構成を具備するものである。
【０００８】
一方向に進行しながら圃場面に種作物を点播する種作物植え付け装置であって、粒単位で繰り出される種作物を圃場面に間隔を空けて落下させる落下導管部を備え、前記落下導管部は、一つの投入口と、該投入口から進行方向左右に分かれた２つの落下口と、前記投入口に投入された種作物を前記２つの落下口の一方に向けて案内する案内板を備え、前記案内板は、投入された種作物の自重で回転して、種作物の粒単位で交互に案内方向を切り換えることを特徴とする種作物植え付け装置。
【発明の効果】
【０００９】
このような特徴を有する種作物植え付け装置は、落下導管部に投入された種作物を進行方向左右の落下口から交互に圃場面に落下させることできる。これによって、圃場面で種作物は適正な株間で千鳥点播される。
【００１０】
落下導管部は、投入される種作物の自重で回転する構造であるから、比較的安価な部品の追加で集約的な千鳥植えを可能にする。また、この落下導管部は、特別な動力が不要で簡易な構造であるため、既存のポテトプランターに容易に付加することができる。したがって、種作物植え付け装置を既存のポテトプランターに追加することで集約的な千鳥植えを容易に行うことができる。
【００１１】
このような千鳥植えを可能にした本発明の種作物植え付け装置によると、適正な株間で植え付けを行うことで地上部の受光態勢が改善されたり根圏域が拡大し、収穫物の歩留まりの向上や増収化が可能になる。
【図面の簡単な説明】
【００１２】
【図１】本発明の一実施形態に係る種作物植え付け装置の全体構成を示した説明図である。
【図２】本発明の一実施形態に係る種作物植え付け装置における落下導管部の具体的な構成を示した説明図（進行方向に垂直な面での断面図）である。
【図３】案内板を備えた落下導管部の千鳥点播機能を示した説明図である。
【図４】本発明の実施形態に係る種作物植え付け装置による千鳥植えの状態を示した説明図である。
【発明を実施するための形態】
【００１３】
以下、図面を参照して本発明の実施形態を参照して説明する。図１は本発明の一実施形態に係る種作物植え付け装置の全体構成を示した説明図である。本発明の実施形態に係る種作物植え付け装置１は、トラクタなどの走行機体Ｔに装着されるか或いは自走することで進行方向Ｓに沿った一方向に進行しながら圃場面に種作物を点播することで植え付け作業を行うものである。ここでの種作物は、バレイショなどの種イモを含む各種の作物の種である。
【００１４】
種作物植え付け装置１は、機体２に落下導管部１０を備えており、更に、ホッパー３、繰り出し機構部４、溝切り器５を備えている。また、必要に応じて、鎮圧ローラ６Ａ、土寄せ器６Ｂ、覆土ディスク６Ｃなどの後処理部６を備えている。なお、これらの基本構成自体は、既存のポテトプランターと何ら変わりが無い。ホッパー３には、植え付ける種作物が貯留されている。繰り出し機構部４は、ホッパー３から粒単位で種作物を繰り出して落下導管部１０に投入するものであり、傾斜板バケット式やカップチェーン式など公知の機構を採用することができる。溝切り器５は落下導管部１０の前方にて圃場面に溝を形成するものである。
【００１５】
図２は、落下導管部１０の具体的な構成を示した説明図（進行方向に垂直な面での断面図）である。落下導管部１０は、繰り出し機構部４から粒単位で繰り出される種作物を圃場面に間隔を空けて落下（点播）させるものであり、これによって千鳥点播を可能にする。この落下導管部１０は、一つの投入口１１と、投入口１１から進行方向左右に分かれた２つの落下口１２，１３と、投入口１１に投入された種作物を２つの落下口１２，１３の一方に向けて案内する案内板１４を備えている。
【００１６】
より具体的には、落下導管部１０は、投入口１１から下方に投入流路１１Ａが設けられ、この投入流路１１Ａが二又に分かれて左右の落下流路１２Ａ，１３Ａが設けられている。また、投入流路１１Ａと左右の落下流路１２Ａ，１３Ａとの間には、案内板１４を軸支する案内板支持部１５が設けられている。ここで、落下流路１２Ａ，１３Ａは矢印方向にスライド自在に装着されており、落下口１２，１３の間隔（千鳥条間）ＷをＷ〜Ｗ１のように調整できるようになっている。
【００１７】
案内板１４は、投入された種作物の自重で回転して、種作物の粒単位で交互に案内方向を切り換えることができるものであり、図示の状態で一粒目の種作物が投入口１１に投入されると落下口１２側に案内され、その次の種作物が投入口１１に投入されると落下口１３側に案内される。
【００１８】
案内板１４の具体的な構成は、第１案内板１４Ａと左右一対の第２案内板１４Ｂ，１４Ｃとを一体に備えており、これが進行方向に沿った軸周りに回転自在に軸支されている。第１案内板１４Ａと第２案内板１４Ｂ，１４Ｃは同じ角度で放射状に結合されており、その中心が軸１４Ｄになっている。図示の状態では、第１案内板１４Ａは、投入口１１の開口範囲で揺動自在であって、一方の落下口１３を塞いで投入された種作物を他方の落下口１２に案内する傾斜姿勢で保持されている。第２案内板１４Ｂは、第１案内板１４Ａによって案内された種作物の自重で回転して他方の落下口１２を開放すると共に第１案内板１４Ａの傾斜姿勢を他方の落下口１２を塞ぐ傾斜姿勢に切り換える。
【００１９】
案内板１４には、案内板支持部１５の外側において軸１４Ｄと一体にアーム１６が設けられ、このアーム１６の先端部に錘１７が軸支されている。錘１７は、その重さを調整することで、案内板１４の動き（反応の速さ）の調整や第１案内板１４Ａが傾斜姿勢を切り換える時のばたつきを軽減することができる。これによって、投入口１１に投入された種作物を高い精度で左右の落下口１２，１３に振り分けることができる。
【００２０】
図３は、案内板１４を備えた落下導管部１０の千鳥点播機能を示した説明図である。（ａ）は、ｎ番目に繰り出し機構４から落下導管部１０に投入された種作物Ｍ１の落下流れを示しており、（ｂ）は（ｎ＋１）番目に繰り出し機構４から落下導管部１０に投入された種作物Ｍ２の落下流れを示している。
【００２１】
図示のように、ｎ番目に落下導管部１０の投入口１１に投入された種作物Ｍ１は、落下口１３を塞ぐ傾斜姿勢に保持された第１案内板１４Ａに当たって図示の右側に導かれ、その後第２案内板１４Ｂ上に載ることでその自重で第２案内板１４Ｂを回転させ、図示右側の落下口１２を開放させてそこから圃場面に落下する。その次の（ｎ＋１）番目に繰り出し機構４から落下導管１０に投入された種作物Ｍ２は、種作物Ｍ１の落下後に第１案内板１４Ａの傾斜姿勢が落下口１２を塞ぐ状態に切り換えられているので、この第１案内板１４Ａに当たって図示の左側に導かれ、その後第２案内板１４Ｃ上に載ることでその自重で第２案内板１４Ｃを回転させ、図示左側の落下口１３を開放させてそこから圃場面に落下する。
【００２２】
図４は、本発明の実施形態に係る種作物植え付け装置による圃場面での千鳥植えの状態を示した説明図である。（ａ）が繰り出し機構から供給された種作物を直接落下させる落下導管を用いる従来の植え付け装置による植え付け状態であり、（ｂ）が本発明の実施形態に係る種作物受付装置による植え付け状態である。（ａ）と（ｂ）は２条植えの条間Ｌ及び作業速度と繰り出しタイミングを同じにすることで単位面積当たりの植え付け密度を同じにしている。
【００２３】
（ａ）に示した従来装置による植え付け状態は、株間Ｓが比較的狭くなるのに対して、（ｂ）に示した本願発明の実施形態による植え付け状態は、千鳥条間Ｗの確保によって、直近の植え付け間隔Ｓ１を従来の株間Ｓより大きくすることができ、理想的には一条内の株間Ｓ２をＳの２倍にすることができる。これによって、集約的な植え付けを行う場合にも作物間の間隔を比較的広くすることができる。（ｂ）に示した本発明の実施形態に係る種作物植え付け装置１では、左右の落下口１２，１３毎にそれぞれ溝を形成する溝切り器５が用いられる。
【００２４】
以上説明したように、本発明の実施形態に係る種作物植え付け装置１によると、適正な株間で千鳥点播を行うことで、生産された塊茎の歩留まりと収量の向上を可能にする。圃場面に種作物を落下させる植え付け装置において簡単な機具の追加で集約的な千鳥植えが可能になる。
【００２５】
本発明の実施形態における落下導管部１０は、動力を使わない機具であるから既存のポテトプランターに簡単に後付けすることができ、低コストで既存のポテトプランターに千鳥植え機能を付加することができる。また、種作物の千鳥植えに限らず、動力を使わないで投入物を左右に振り分ける千鳥点播機具として各種の用途に用いることができる。
【００２６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００２７】
１：種作物植え付け装置，２：機体，３：ホッパー，４：繰り出し機構，
５：溝切り器，６：後処理部，
６Ａ：鎮圧ローラ，６Ｂ：土寄せ器，６Ｃ：覆土ディスク，
１０：落下導管部，１１：投入口，１２，１３：落下口，１４：案内板，
１４Ａ：第１案内板，１４Ｂ，１４Ｃ：第２案内板，１４Ｄ：軸，
１５：案内板支持部，１６：アーム，１７：錘
【図１】
2015181442.tif 000003
【図２】
2015181442.tif 000004
【図３】
2015181442.tif 000005
【図４】
2015181442.tif 000006